(57)【要約】【課題】電気が必要でなく設備がコスト的に比較的安価であり、また、浮遊するゴミ等に妨げられることなく、水田に必要な水位において確実に止水できる自動止水式灌水装置を提供する。【解決手段】本体管の一端に吸引側ホースを他端に排出側ホースを接続したサイホンと、本体管に接続される細い通気チューブの端口を水田の水面下に浸け出しさせるサイホン解除装置とからなり、サイホン解除装置は、水田に立設される支柱に、通気チューブの端口を水田の水面下から引き上げに働くよう、引きロープの引きに抗する弾力を備えた付勢装置を装備し、水田の一定に達した水位でフロートが浮上した力により引きロープを放してロープの引きが解除されるようにした浮き装置を具備してなることを特徴とする。【選択図】    図１
2008118956.tif 000002
【特許請求の範囲】
【請求項１】
本体管の一端に吸引側ホースを他端に排出側ホースを接続したサイホンと、本体管に接続される細い通気チューブの端口を水田の水面下に浸け出しさせるサイホン解除装置とからなり、サイホン解除装置は、水田に立設される支柱に、通気チューブの端口を水田の水面下から引き上げに働くよう、引きロープの引きに抗する弾力を備えた付勢装置を装備し、水田の一定に達した水位でフロートが浮上した力により引きロープを放してロープの引きが解除されるようにした浮き装置を具備してなることを特徴とする自動止水式灌水装置。
【請求項２】
浮き装置については、水田の水位でフロートが上下するようそれが内装される通水性のハウジングに、フロートと一体に上下する管状の可動軸が納まる筒体を立設し、筒体には上端に相対向する一対の切欠が設けられ、前記引きロープには筒体の上端に納まるとともに切欠に掛かる掛止ブロックが取り付けてあって、可動軸と掛止ブロックとの間に介在する部材として、掛止ブロックを受ける突き盤と、その突き盤と可動軸との間の間隔を調整する複数枚の厚み板とを備えてなることを特徴とする請求項１記載の自動止水式灌水装置。
【発明の詳細な説明】
【技術分野】
【０００１】
この発明は、川や溜め池等の用水から水田に水を取り入れるために使用する自動止水式灌水装置に関する。
【背景技術】
【０００２】
水田に水を取り入れるには、一般的に水田と用水との間の土手に取水口が切欠きにより、或いは導水管を貫通する等して設備され、必要に応じて取水口を開くことにより給水される。なお、取水口の塞き止めには、堰板を用い、あるいは有り合わせの土や石等が用いられ、給水時にそれらが取り除かれるが、水田に必要なだけ水を張ったときには、再度堰板等で取水口を塞がないと、過剰に灌水され不都合が生じることになる。しかし、止水のためだけに水田に出向くことは多忙な現代においては不都合であり困難なことが多い。そこで、水田の水位が一定に達すると、それを検知して給水が停止される自動止水式灌水装置が提案される。
【０００３】
従来、この種の自動止水式灌水装置としては、土手に設けられる取水口に弁板を開閉可能に設け、水田の水位をフロートで検出することにより、水位が一定に達するとスイッチが起動してモータの動力で弁板が閉じるようにしたものを挙げることができる。しかし、これによると、給水中に弁板にゴミがまつわりついていると、それが妨げて完全に閉じることができなく、結果的に灌水が過剰となるトラブルを招くことがあった。また、電力を必要とし設備がコスト高となるという問題もあった。
【０００４】
また、従来、溜め池等の大型の土手では、土手を貫通する取水口を設ける工事が過大となることから、それを避けるためにサイホンの原理を応用して土手を越えてホースにより取水する提案がなされるが（特許文献１）、この場合でも、電気を使わない簡単な設備で自動的に止水できるものではなかった。
【特許文献１】特開平１１−３２３８８９号公報
【発明の開示】
【発明が解決しようとする課題】
【０００５】
この発明は、上記のような実情に鑑みて、電気が必要でなく設備がコスト的に比較的安価であり、また、浮遊するゴミ等に妨げられることなく、水田に必要な水位において確実に止水できる自動止水式灌水装置を提供することを課題とした。
【課題を解決するための手段】
【０００６】
上記の課題を解決するために、この発明は、本体管の一端に吸引側ホースを他端に排出側ホースを接続したサイホンと、本体管に接続される細い通気チューブの端口を水田の水面下に浸け出しさせるサイホン解除装置とからなり、サイホン解除装置は、水田に立設される支柱に、通気チューブの端口を水田の水面下から引き上げに働くよう、引きロープの引きに抗する弾力を備えた付勢装置を装備し、水田の一定に達した水位でフロートが浮上した力により引きロープを放してロープの引きが解除されるようにした浮き装置を具備してなることを特徴とする自動止水式灌水装置を提供するものである。
【０００７】
自動止水式灌水装置を上記のように構成したから、水田に給水する段取りをするには、通気チューブの端口を水田の水に浸けた状態において、その状態を保持するために、付勢装置の弾力に抗して引きロープを浮き装置に止めておく。こうしてサイホンを働かせて水田の水位が上昇すると、予め設定した所定水位により引きロープが放たれるために、付勢装置の弾力により通気チューブの端口が水面から空中に引き上げられることから、サイホンの中に通気チューブから空気が吸引される結果、サイホンが働かなくなり止水する。
【０００８】
なお、サイホンを最初に働かせるには、その中に予め水を充満させておく必要がある。その手段ないし構造は様々となるが、これについて、この発明は特に限定しないものとする。いずれにしても、サイホンが働いている給水中においては、サイホンの中が負圧となっているので、端口が空中に出ると同時に通気チューブから負圧のサイホンの中に空気が吸引されることになる。
【発明の効果】
【０００９】
以上説明したように、この発明は、電気が必要でなく、設備およびメンテナンスがコスト的に比較的安価であるサイホンの原理によるもので、用水からの取水の停止を弁板の閉じによる場合とは違って、浮遊するゴミ等に妨げられることなく、水田に必要な水位において、サイホンが働かなくなるようにしたから、水漏れなく確実に止水できるため、過剰な給水によりトラブルを招くという不都合がなくなるという優れた効果がある。
【００１０】
加えて、請求項２にように構成すれば、水田に張る水位の調整を過不足なく容易に調整できる。
【発明を実施するための最良の形態】
【００１１】
次に、この発明の実施形態を図面に基づいて説明する。
【００１２】
図面は、用水路又は溜め池等の用水１から水田２に水を取り入れるために実施した例を示したもので、その自動止水式灌水装置は、土手３を越える曲管のサイホン５と、水田２の水位が一定以上になるのを検出してサイホン５に空気を供給するサイホン５の解除装置７とからなり、その間にはサイホン５の解除のための通気チューブ９が介在される。図１はサイホン５が働く給水中を、図２はサイホン５が解除された停止時をそれぞれ示す。
【００１３】
サイホン５は、土手３を跨ぐ逆Ｕ字形の本体管１１の一端に吸引側ホース１３ａを、他端に排出側ホース１３ｂをそれぞれ連結したもので、本体管１１の中央に通気チューブ９が接続される基管１４を有する。また、吸引側ホース１３ａの先端に網付きの吸引口１５が取り付けられ、他方の排出側ホース１３ｂにはバルブ１７が取り付けられる。なお、バルブ１７にはさらに延長ホースを接続することもできる。
【００１４】
このバルブ１７は、サイホンの原理を働かせる前提として、サイホン５に水を充満させるためにその一端を「閉」とするためのもので、そのときには吸引側ホース１３ａの吸引口１５を持ち上げてそこから水を注入し、充満してから用水１に吸引口１５を浸けてバルブ１７を開くとサイホン５が働いて給水が開始する。しかし、このときにサイホン５を働かせるには、予め通気チューブ９の端口２１を水田２の水に浸けておく必要がある。
【００１５】
サイホンの解除装置７は、水田２の水位Ｐが所定の高さに達するまで、通気チューブ９の端口２１を水田２の水に浸けておくためのもので、金属パイプからなる支柱１９を中心として装備される。それにはまず、支柱１９には、通気チューブ９が通して保持される保持パイプ２３と、保持パイプ２３を常時上に持ち上げる付勢装置２５と、付勢装置２５の弾力に抗して保持パイプ２３を止めている引きロープ３８とを備えている。加えて、水田２の水位Ｐが一定に達するまで引きロープ３８の先を止める浮き装置２９が設けられている。
【００１６】
保持パイプ２３の支持には、支柱１９に上下一対のアーム２５，２７が取り付けられ、アーム２５，２７の先端が保持パイプ２３の通る筒形となっており、そこに保持パイプ２３が上下可能に嵌まっている。なお、保持パイプ２３には、上下位置で止まるようにストッパー３０が取り付けられる。下降時点（図１）で、たとえ水田２の水が涸れていても、通気チューブ９の端口２１が水田２の水に浸かっているように、水田２には水溜枡３１が埋設される。しかし、単に穴を掘って水溜を作っても良い。なお、通気チューブ９を保持パイプ２３に定着させるために、これを通して固定する上下キャップ２３ａ，２３ｂが保持パイプ２３に螺着される。
【００１７】
上方への付勢装置２５は、ゴム紐３３（又はコイルばね）によるもので、それで保持パイプ２３を引き上げた状態に保持するために、支柱１９の上端にゴム紐３３の吊り部材３５を突設し、保持パイプ２３の中途に掛け部材３７を取り付けてある。掛け部材３７は、こうしてゴム紐３３で持ち上がられているが、引きロープ３８が掛け部材３７を下へ引いて、それと一体の保持パイプ２３の位置がストッパー３０で一定に停止され、通気チューブ９の端口２１が水田２の水位Ｐ以下に保持されている（図１）。ストッパー２９は、下端では上アーム２５に、上端では吊り部材３５にそれぞれ止められるようになっており、また、保持パイプ２３に対して上下調整可能にもなっている。
【００１８】
下端のアーム２７には、引きロープ３８が反転して掛かる係合軸４０が突設される。また、引きロープ３８の基端が輪ゴム３８ａとなっており、それに浮き装置２９に対する掛止ブロック４２が掛け止められるようになっている（図３）。
【００１９】
浮き装置２９は、支柱１９から独立していても良いが、この場合は、下部アーム２７の延長２７ａに一定の高さを保持するように取り付けられる。また、支柱１９に別途アームを取り付け、それに浮き装置２９を支持して支柱１９に接近して装備することもできる。浮き装置２９の構造については、フロート４３が上下可能に納まる凸形のハウジング３９の上に筒体４１を突設し、筒体４１の上端には、相対向する両位置に切欠４５，４５が設けられている。また、筒体４１の中に上下可能に納まる管状の可動軸４６を納めてフロート４３に接続してある。この筒体４１の上端に納まる掛止ブロック４２には、筒体４１の上端でこの一方の切欠４５に掛かるようにそれに通るフック４６が突設される。
【００２０】
フロート４３は、可動軸４５を突き上げて掛止ブロック４２を外すが、外すタイミングを水位Ｐとの関係で調整するために、可動軸４５の上に置く部材として、リング状に形成された数枚の厚み板４７，４７，・・と、掛止ブロック４２を受ける突き盤４８とが筒体４１に納められる。そのうち、突き盤４８には、切欠４５，４５に係合する一対の角部５０，５０が突設され、また、中央に厚み板４７を抜ける支軸５２が垂設される。
【００２１】
水田２に水が供給されることにより水位Ｐが上昇すると（図２）、浮き装置２９の下端に設けられる穴５５を通じてハウジング３９の中の水位も上昇することにより、フロート４３が浮き上がり、可動軸４５、厚み板４７、突き盤４８を介して、最上端の掛止ブロック４２を突き上げる。この突き上げで掛止ブロック４２が筒体４１から外れると、引きロープ３８の引っ張りが解除されて、ゴム紐３３の弾性により保持パイプ２３とともに通気チューブ９が引き上げられ、その下端の端口２１を水面から抜き取られ、端口２１から空気が吸引されてサイホン５の中に注入される結果、サイホンの原理が働かなくなり給水が停止する。
【００２２】
なお、図１に二点鎖線で示すように、サイホン５に吊り具５４を取り付け、支柱１９から長いアーム５２を突設し、それにサイホン５を吊り下げるようにすることもある。従って、上記実施例で示した、用水と水田との間の土手を跨ぐようにサイホンを構成する場合に限定されるものでないことは言うまでもない。
【図面の簡単な説明】
【００２３】
【図１】この発明の自動止水式灌水装置を給水中の使用状態において示す側面図である。
【図２】同自動止水式灌水装置を給水停止時の使用状態において示す拡大した一部断面図である。
【図３】同自動止水式灌水装置における浮き装置の斜視図である。
【符号の説明】
【００２４】
１  用水
２  水田
３  土手
５  サイホン
７  サイホン解除装置
９  通気チューブ
１１  本体管
１３ａ  吸引側ホース
１３ｂ  排出側ホース
１９  支柱
２１  端口
２５  付勢装置
２９  浮き装置
３８  引きロープ
３９  ハウジング
４１  筒体
４２  掛止ブロック
４３  フロート
４５  切欠
４６  可動軸
４７  厚み板
４８  突き盤
Ｐ  水位
【図１】
2008118956.tif 000003
【図２】
2008118956.tif 000004
【図３】
2008118956.tif 000005